【手続補正書】
【提出日】平成31年3月29日(2019.3.29)
【手続補正１】
【補正対象書類名】明細書
【補正対象項目名】０００８
【補正方法】変更
【補正の内容】
【０００８】
（１）本発明は、複数のリール（Ｒ１，Ｒ２，Ｒ３）と、
遊技者による開始操作を検出するスタートスイッチ（２３０）と、
小役、リプレイ及びボーナスを含む複数種類の役の当否を決定する内部抽選を行う内部抽選手段（１２０）と、
前記複数のリールに対応して設けられ、各リールを停止させるための停止操作を検出するストップスイッチ（２４０）と、
前記スタートスイッチによる前記開始操作の検出に基づいて、前記複数のリールを回転させ、前記ストップスイッチによる前記停止操作の検出及び前記内部抽選手段により決定された前記内部抽選の結果に基づいて、回転中の前記リールを停止させるリール停止制御を行うリール制御手段（１３０）と、
前記複数のリールが停止した場合における有効ライン（Ｌ１）上の図柄組合せに基づいて、役の入賞判定を行う入賞判定手段（１４０）と、
特定役の入賞を補助する入賞補助制御が実行可能な期間である有利期間と、前記入賞補助制御が実行されない期間である非有利期間と、の間での移行に係る制御を行う有利期間制御手段（２００Ａ）と、
遊技者にとって有利となり得る特典を付与する特典付与手段（２００Ｂ）と、
演出を行う演出装置（３００）と、
前記演出装置に演出を実行させる演出制御手段（１８０）と、を備え、
前記リール制御手段は、前記内部抽選により所定の当選態様に当選した場合に、前記ストップスイッチにより検出される前記停止操作の操作態様に応じて、前記有効ライン上に第１図柄組合せ又は前記第１図柄組合せとは異なる第２図柄組合せを停止させ、
前記特典付与手段は、前記有利期間において、前記内部抽選による前記所定の当選態様の当選に応じて前記特典を付与可能であり、
前記演出制御手段は、
前記内部抽選により前記所定の当選態様に当選した場合において、前記第１図柄組合せが前記有効ライン上に停止するように誘導する演出を前記演出装置に実行させる誘導演出制御を実行可能であり、
遊技者にとって有利となる前記特典が付与されない特定状態で前記内部抽選により前記所定の当選態様に当選した場合に、前記誘導演出制御を実行しない、
ことを特徴とする。
【手続補正２】
【補正対象書類名】明細書
【補正対象項目名】００１０
【補正方法】変更
【補正の内容】
【００１０】
（３）また、本発明の遊技機は、前記有利期間制御手段によって更新される値を記憶する有利期間数値記憶手段（１９９Ａ）を備え、
前記有利期間制御手段は、
前記有利期間の滞在中において、前記有利期間数値記憶手段に記憶された値を累積的に更新する更新処理を実行し、
前記更新処理を実行し前記有利期間数値記憶手段に記憶される値が第１の値となった場合に、前記有利期間を終了し、
前記特典付与手段は、前記入賞補助制御が実行されるアシストタイム状態を含む指示機能に係る状態として複数の指示機能状態の間での指示機能状態の移行に係る制御を行う指示機能状態制御手段であり、
前記アシストタイム状態は、
第１アシストタイム状態と、
前記有利期間において所定の条件が成立した場合に開始可能となり、前記有利期間数値記憶手段に記憶される値が前記有利期間制御手段による前記更新処理によって前記第１の値となるまで継続する第２アシストタイム状態と、を含み、
前記指示機能状態制御手段は、前記有利期間において、前記内部抽選による前記所定の当選態様の当選に応じて前記アシストタイム状態を延長する制御である延長制御を実行可能であり、
前記特典は、前記延長制御による前記アシストタイム状態の延長であり、
前記特定状態は、前記第２アシストタイム状態を含む、ことを特徴とする。
【手続補正３】
【補正対象書類名】明細書
【補正対象項目名】００１１
【補正方法】変更
【補正の内容】
【００１１】
（４）また、本発明の遊技機において、前記特定状態は、前記有利期間制御手段により前記非有利期間に移行されている状態を含み、
前記演出制御手段は、前記有利期間において、前記内部抽選により前記所定の当選態様に当選した場合に、前記第１図柄組合せが前記有効ライン上に停止するように誘導する演出を前記演出装置に実行させる前記誘導演出制御を実行する、ことを特徴とする。
【手続補正４】
【補正対象書類名】明細書
【補正対象項目名】００１４
【補正方法】変更
【補正の内容】
【００１４】
（７）また、本発明の遊技機は、複数のリール（Ｒ１，Ｒ２，Ｒ３）と、
遊技者による開始操作を検出するスタートスイッチ（２３０）と、
小役及びリプレイを含む複数種類の役の当否を決定する内部抽選を行う内部抽選手段（１２０）と、
前記複数のリールに対応して設けられ、各リールを停止させるための停止操作を検出するストップスイッチ（２４０）と、
前記スタートスイッチによる前記開始操作の検出に基づいて、前記複数のリールを回転させ、前記ストップスイッチによる前記停止操作の検出及び前記内部抽選手段により決定された前記内部抽選の結果に基づいて、回転中の前記リールを停止させるリール停止制御を行うリール制御手段（１３０）と、
前記複数のリールが停止した場合における有効ライン（Ｌ１）上の図柄組合せに基づいて、役の入賞判定を行う入賞判定手段（１４０）と、
前記複数種類の役の入賞を補助する入賞補助制御が実行可能な期間である有利期間と、前記入賞補助制御が実行されない期間である非有利期間と、の間での移行に係る制御を行う有利期間制御手段（２００Ａ）と、
前記有利期間制御手段によって更新される値を記憶する記憶手段（１９０）と、
前記入賞補助制御が実行されるアシストタイム状態と、前記入賞補助制御が実行されない非アシストタイム状態と、の間での移行に係る制御を行うアシストタイム状態制御手段（２００Ｂ）と、を備え、
前記リール制御手段は、前記内部抽選により所定の当選態様に当選した場合に、各リールに対応する前記停止操作が前記ストップスイッチにより検出された順序に応じて、前記有効ライン上に第１図柄組合せ又は前記第１図柄組合せとは異なる第２図柄組合せを停止させ、
前記有利期間制御手段は、前記有利期間の最長の長さを所定期間に制限するように制御し、
前記アシストタイム状態は、
通常アシストタイム状態と、
前記所定期間の途中で設定された条件が成立した場合に開始可能となり、前記有利期間が前記所定期間となるまで継続するエンディング状態と、を含み、
前記アシストタイム状態制御手段は、
前記有利期間において、前記内部抽選による前記所定の当選態様の当選に応じて前記アシストタイム状態を延長する制御を実行可能であり、
前記エンディング状態で前記内部抽選により前記所定の当選態様に当選した場合に前記第１図柄組合せを前記有効ライン上に停止させるための前記入賞補助制御を実行しない、ことを特徴とする。
【手続補正５】
【補正対象書類名】特許請求の範囲
【補正対象項目名】全文
【補正方法】変更
【補正の内容】
【特許請求の範囲】
【請求項１】
複数のリールと、
遊技者による開始操作を検出するスタートスイッチと、
小役、リプレイ及びボーナスを含む複数種類の役の当否を決定する内部抽選を行う内部抽選手段と、
前記複数のリールに対応して設けられ、各リールを停止させるための停止操作を検出するストップスイッチと、
前記スタートスイッチによる前記開始操作の検出に基づいて、前記複数のリールを回転させ、前記ストップスイッチによる前記停止操作の検出及び前記内部抽選手段により決定された前記内部抽選の結果に基づいて、回転中の前記リールを停止させるリール停止制御を行うリール制御手段と、
前記複数のリールが停止した場合における有効ライン上の図柄組合せに基づいて、役の入賞判定を行う入賞判定手段と、
特定役の入賞を補助する入賞補助制御が実行可能な期間である有利期間と、前記入賞補助制御が実行されない期間である非有利期間と、の間での移行に係る制御を行う有利期間制御手段と、
遊技者にとって有利となり得る特典を付与する特典付与手段と、
演出を行う演出装置と、
前記演出装置に演出を実行させる演出制御手段と、を備え、
前記リール制御手段は、前記内部抽選により所定の当選態様に当選した場合に、前記ストップスイッチにより検出される前記停止操作の操作態様に応じて、前記有効ライン上に第１図柄組合せ又は前記第１図柄組合せとは異なる第２図柄組合せを停止させ、
前記特典付与手段は、前記有利期間において、前記内部抽選による前記所定の当選態様の当選に応じて前記特典を付与可能であり、
前記演出制御手段は、
前記内部抽選により前記所定の当選態様に当選した場合において、前記第１図柄組合せが前記有効ライン上に停止するように誘導する演出を前記演出装置に実行させる誘導演出制御を実行可能であり、
遊技者にとって有利となる前記特典が付与されない特定状態で前記内部抽選により前記所定の当選態様に当選した場合に、前記誘導演出制御を実行しない、
ことを特徴とする遊技機。
【請求項２】
前記リール制御手段は、前記内部抽選により前記所定の当選態様に当選した場合に、各リールに対する前記停止操作が前記ストップスイッチにより検出された順序に応じて、前記有効ライン上に前記第１図柄組合せ又は前記第２図柄組合せを停止させ、
前記操作態様は、各リールに対する前記停止操作が前記ストップスイッチにより検出された順序を含む、
ことを特徴とする請求項１に記載の遊技機。
【請求項３】
前記有利期間制御手段によって更新される値を記憶する有利期間数値記憶手段を備え、
前記有利期間制御手段は、
前記有利期間の滞在中において、前記有利期間数値記憶手段に記憶された値を累積的に更新する更新処理を実行し、
前記更新処理を実行し前記有利期間数値記憶手段に記憶される値が第１の値となった場合に、前記有利期間を終了し、
前記特典付与手段は、前記入賞補助制御が実行されるアシストタイム状態を含む指示機能に係る状態として複数の指示機能状態の間での指示機能状態の移行に係る制御を行う指示機能状態制御手段であり、
前記アシストタイム状態は、
第１アシストタイム状態と、
前記有利期間において所定の条件が成立した場合に開始可能となり、前記有利期間数値記憶手段に記憶される値が前記有利期間制御手段による前記更新処理によって前記第１の値となるまで継続する第２アシストタイム状態と、を含み、
前記指示機能状態制御手段は、前記有利期間において、前記内部抽選による前記所定の当選態様の当選に応じて前記アシストタイム状態を延長する制御である延長制御を実行可能であり、
前記特典は、前記延長制御による前記アシストタイム状態の延長であり、
前記特定状態は、前記第２アシストタイム状態を含む、
ことを特徴とする請求項１又は２に記載の遊技機。
【請求項４】
前記特定状態は、前記有利期間制御手段により前記非有利期間に移行されている状態を含み、
前記演出制御手段は、前記有利期間において、前記内部抽選により前記所定の当選態様に当選した場合に、前記第１図柄組合せが前記有効ライン上に停止するように誘導する演出を前記演出装置に実行させる前記誘導演出制御を実行する、
ことを特徴とする請求項１乃至３のいずれかに記載の遊技機。
【請求項５】
前記ボーナスが入賞したことに基づいて遊技状態をボーナス状態に移行させる遊技状態移行制御手段を備え、
前記特典付与手段は、前記有利期間において、遊技状態が前記ボーナス状態である場合に、前記内部抽選による前記所定の当選態様の当選に応じて前記特典を付与可能である、
ことを特徴とする請求項１乃至４のいずれかに記載の遊技機。
【請求項６】
前記内部抽選手段による前記内部抽選の設定を変更する設定変更手段を備え、
前記内部抽選手段は、前記内部抽選において、前記ボーナスが対応付けられた第１当選態様及び第２当選態様に当選可能であり、
前記第１当選態様は、前記設定変更手段により前記内部抽選の設定が変更されたとしても、前記内部抽選における当選確率が変更されない当選態様であり、
前記第２当選態様は、前記設定変更手段により前記内部抽選の設定が変更された場合に、前記内部抽選における当選確率が変更される当選態様であり、
前記特典付与手段は、前記有利期間において、前記第１当選態様に当選した後に前記ボーナスが入賞したことに基づいて前記ボーナス状態が実行されている場合に、前記内部抽選による前記所定の当選態様の当選に応じて前記特典を付与可能であり、
前記特定状態は、前記第２当選態様に当選した後に前記ボーナスが入賞したことに基づいて実行される前記ボーナス状態を含む、
ことを特徴とする請求項５に記載の遊技機。
【請求項７】
複数のリールと、
遊技者による開始操作を検出するスタートスイッチと、
小役及びリプレイを含む複数種類の役の当否を決定する内部抽選を行う内部抽選手段と、
前記複数のリールに対応して設けられ、各リールを停止させるための停止操作を検出するストップスイッチと、
前記スタートスイッチによる前記開始操作の検出に基づいて、前記複数のリールを回転させ、前記ストップスイッチによる前記停止操作の検出及び前記内部抽選手段により決定された前記内部抽選の結果に基づいて、回転中の前記リールを停止させるリール停止制御を行うリール制御手段と、
前記複数のリールが停止した場合における有効ライン上の図柄組合せに基づいて、役の入賞判定を行う入賞判定手段と、
前記複数種類の役の入賞を補助する入賞補助制御が実行可能な期間である有利期間と、前記入賞補助制御が実行されない期間である非有利期間と、の間での移行に係る制御を行う有利期間制御手段と、
前記有利期間制御手段によって更新される値を記憶する記憶手段と、
前記入賞補助制御が実行されるアシストタイム状態と、前記入賞補助制御が実行されない非アシストタイム状態と、の間での移行に係る制御を行うアシストタイム状態制御手段と、を備え、
前記リール制御手段は、前記内部抽選により所定の当選態様に当選した場合に、各リールに対応する前記停止操作が前記ストップスイッチにより検出された順序に応じて、前記有効ライン上に第１図柄組合せ又は前記第１図柄組合せとは異なる第２図柄組合せを停止させ、
前記有利期間制御手段は、前記有利期間の最長の長さを所定期間に制限するように制御し、
前記アシストタイム状態は、
通常アシストタイム状態と、
前記所定期間の途中で設定された条件が成立した場合に開始可能となり、前記有利期間が前記所定期間となるまで継続するエンディング状態と、を含み、
前記アシストタイム状態制御手段は、
前記有利期間において、前記内部抽選による前記所定の当選態様の当選に応じて前記アシストタイム状態を延長する制御を実行可能であり、
前記エンディング状態で前記内部抽選により前記所定の当選態様に当選した場合に前記第１図柄組合せを前記有効ライン上に停止させるための前記入賞補助制御を実行しない、
ことを特徴とする遊技機。